(57)【要約】【課題】カートリッジ収納型ホログラム記録媒体の筐体内部での反射光などの不要光によりホログラム記録媒体の記録容量を低下させたり或いは、再生データのＳ／Ｎを劣化させることを防止すること。【解決手段】カートリッジ収納型ホログラム記録媒体６０の筐体１の内壁面を黒塗装することにより、信号光１００や参照光２００のホログラム記録媒体２からの反射光２０１は、前記黒塗装の塗装膜１１により吸収され、反射光がホログラム記録媒体２を照射したり、出射光１１４から再生光３００に混じって出射することを防止することができる。これにより、筐体１内の反射光２０１などの不要光によりホログラム記録媒体２が無用に感光しなくなり、記録容量を低下させたり或いは、再生データのＳ／Ｎを劣化させることを防止することができる。【選択図】図１
2005332560.tif 000002
【特許請求の範囲】
【請求項１】
筐体と、
前記筐体内に回転自在に収納され、２光束の干渉縞を記録するホログラム記録媒体と、
前記筐体の内壁面の一部又は全部に設けられた光吸収手段と、
を具備することを特徴とするカートリッジ収納型ホログラム記録媒体。
【請求項２】
前記光吸収手段は塗装膜であることを特徴とする請求項１記載のカートリッジ収納型ホログラム記録媒体。
【請求項３】
前記光吸収手段は植毛紙であることを特徴とする請求項１記載のカートリッジ収納型ホログラム記録媒体。
【請求項４】
前記光吸収手段は密集して前記内壁面に植設された針状物体であることを特徴とする請求項１記載のカートリッジ収納型ホログラム記録媒体。
【請求項５】
前記光吸収手段は吸収する光に対して波長選択性を有することを特徴とする請求項１記載のカートリッジ収納型ホログラム記録媒体。
【請求項６】
筐体と、
前記筐体内に回転自在に収納され、２光束の干渉縞を記録するホログラム記録媒体と、
前記筐体の内壁面の一部又は全部に接触又は近接して配置された反射制御手段と、
を具備することを特徴とするカートリッジ収納型ホログラム記録媒体。
【請求項７】
前記反射制御手段は反射板で、この反射板は筐体内入射光の前記ホログラム記録媒体による反射光が再度当該ホログラム記録媒体を照射しない方向へ前記反射光を反射するように設置されることを特徴とする請求項６記載のカートリッジ収納型ホログラム記録媒体。
【請求項８】
前記反射板に光吸収手段を施すことを特徴とする請求項７記載のカートリッジ収納型ホログラム記録媒体。
【請求項９】
筐体と、
前記筐体内に回転自在に収納され、２光束の干渉縞を記録するホログラム記録媒体とを具備し、
前記筐体の内壁面の一部又は全部を加工して光を散乱する光散乱面とすることを特徴とするカートリッジ収納型ホログラム記録媒体。
【請求項１０】
前記筐体は金属で、且つ、前記加工はシボ加工であることを特徴とする請求項９記載のカートリッジ収納型ホログラム記録媒体。
【請求項１１】
前記加工は梨地加工であることを特徴とする請求項９記載のカートリッジ収納型ホログラム記録媒体。
【請求項１２】
参照光と信号光の干渉縞をカートリッジ収納型ホログラム記録媒体に記録し、照明参照光をカートリッジ収納型ホログラム記録媒体に照射して記録データを再生するホログラム記録再生装置であって、
前記ホログラム記録再生装置の筐体の内壁面の一部又は全部に光吸収手段を設けることを特徴とするホログラム記録再生装置。
【請求項１３】
参照光と信号光の干渉縞をカートリッジ収納型ホログラム記録媒体に記録し、照明参照光をカートリッジ収納型ホログラム記録媒体に照射して記録データを再生するホログラム記録再生装置であって、
前記ホログラム記録再生装置の筐体内壁面の一部又は全部に接触又は近接して反射制御手段を配置したことを特徴とするホログラム記録再生装置。
【請求項１４】
参照光と信号光の干渉縞をカートリッジ収納型ホログラム記録媒体に記録し、照明参照光をカートリッジ収納型ホログラム記録媒体に照射して記録データを再生するホログラム記録再生装置であって、
前記ホログラム記録再生装置の筐体内壁面の一部又は全部を加工して光を散乱する光散乱面とすることを特徴とするホログラム記録再生装置。
【請求項１５】
前記カートリッジ収納型ホログラム記録媒体はホログラム記録再生装置にセットして記録又は再生する際にホログラム記録媒体の一部が筐体外に露出することを特徴とする請求項１２乃至１４いずれか１記載のホログラム記録再生装置。
【発明の詳細な説明】
【技術分野】
【０００１】
本発明は、信号光と参照光の干渉縞を記録するホログラム記録媒体を筐体内に収納したカートリッジ収納型ホログラム記録媒体及びこのカートリッジ収納型ホログラム記録媒体を用いるホログラム記録再生装置に関する。
【背景技術】
【０００２】
近年、ホログラム技術を利用して大容量データの記録再生を行うホログラム記録再生装置が提案されている（例えば、非特許文献１参照）。このホログラム記録再生装置は例えば図８に示すような概略構成を有している。
【０００３】
図８は従来のホログラム記録再生装置の構成例を示した概略図である。レーザ光源４１から出射された干渉性を持つレーザ光はシャッター４２を通してビームスプリッター４３に入射し、信号光１００と参照光２００に分岐される。信号光１００はミラー４４を介して空間光変調器４５に入射され、信号光１００はデータページを表示した空間光変調器４５で強度変調される。変調された信号光はレンズ４６によりホログラム記録媒体３０に集光される。一方、参照光２００はミラー５０を介してレンズ５１に入射され、このレンズ５１によりホログラム記録媒体３０を照射する。これにより、ホログラム記録媒体３０内において、この信号光１００と参照光２００が干渉し、その結果形成される干渉縞がホログラム記録媒体３０に微細な疎密パターンとして記録される。
【０００４】
ホログラム記録媒体３０に記録されたデータを再生するには、参照光２００と同一の照明参照光でホログラム記録媒体３０を照射することにより、ホログラム記録媒体３０に記録されている干渉縞に対応する回折光としてデータが再生され、この回折光がレンズ（逆フーリエレンズ）４８によりＣＣＤやＣＭＯＳなどの撮像装置４９に結像される。撮像装置４９は受光した回折光を光電変換し、得られた受光信号は解析されて画像データとして再生される。
【０００５】
このようなホログラム記録再生装置では、記録密度向上のために、多重記録と言う手法が用いられる。これは、従来の記録と異なり、１箇所に多数の独立なページを記録するというものである。このような多重記録方式の代表的なものとしては、角度多重記録、シフト多重記録、位相コ−ド多重記録などであるが、その他スペックル多重など各種の方式が知られている。
【０００６】
ところで、データはホログラムとしてホログラム記録媒体３０上に記録されていくが、ホログラム記録媒体３０は感光性があるため、暗所で扱わなければならない。そこで実際にはディスク状のホログラム記録媒体３０が遮光性のあるカートリッジに収納されて提供されることになる可能性が大きく、カートリッジ収納型ホログラム記録媒体が用いられることになる。
【非特許文献１】IBM J.RES DEVELOP VOL 44 NO.3 MAY 2000  「Holographic data storage」
【発明の開示】
【発明が解決しようとする課題】
【０００７】
この場合、図９に示すように記録時にはカートリッジ収納型ホログラム記録媒体６５の入射用の孔２１、２２から筐体１内に入射した信号光１００と参照光２００はその一部がホログラム記録媒体３０で反射し、その反射光が筐体１の内側の面で反射して再びホログラム記録媒体３０に照射されることが発生する。この反射光により照射されたホログラム記録媒体３０の部分が末記録部であった場合にはそこが感光してしまい、モノマーのダイナミックレンジの大幅な低下が予想される。また、再生時には、記録時ほどの影響は少ないと考えられるが、参照光の反射光が数回反射した後、再生光が結像される撮像素子（ＣＣＤ）の方向に進行するものがあると、再生データ（再生像）のＳ／Ｎを劣化させる可能性があるため、どちらにせよカートリッジ内部による光の反射を低減する必要がある。
【０００８】
本発明は前記事情に鑑み案出されたものであって、本発明の目的は、カートリッジ収納型ホログラム記録媒体の筐体内部での反射光などの不要光によりホログラム記録媒体の記録容量を低下させたり或いは、再生データのＳ／Ｎの劣化を防止することができるカートリッジ収納型ホログラム記録媒体及びホログラム記録再生装置を提供することにある。
【課題を解決するための手段】
【０００９】
本発明は上記目的を達成するため、筐体と、前記筐体内に回転自在に収納され、２光束の干渉縞を記録するホログラム記録媒体と、前記筐体の内壁面の一部又は全部に設けられた光吸収手段とを具備することを特徴とする。
【００１０】
また、本発明は、筐体と、前記筐体内に回転自在に収納され、２光束の干渉縞を記録するホログラム記録媒体と、前記筐体の内壁面の一部又は全部に接触又は近接して配置された反射制御手段とを具備することを特徴とする。
【００１１】
また、本発明は、筐体と、前記筐体内に回転自在に収納され、２光束の干渉縞を記録するホログラム記録媒体とを具備し、前記筐体の内壁面の一部又は全部を加工して光を散乱する光散乱面とすることを特徴とする。
【００１２】
このように本発明では、ホログラム記録媒体を収納する筐体内壁に例えば黒塗装などの光吸収手段を設けることにより、記録時に信号光及び参照光などの光束がホログラム記録媒体表面で反射しても、その反射光は前記光吸収手段により吸収されて再度ホログラム記録媒体を照射しないため、ホログラム記録媒体のモノマーのダイナミックレンジを低下させることはなく、ホログラム記録媒体の記録容量を低下させることを防止することができる。また、再生時、照明参照光がホログラム記録媒体表面で反射した反射光が前記光吸収体により吸収されてしまうため、ホログラム記録媒体から発生する再生光に混じることがなくなり、再生データのＳ／Ｎを向上させることができる。また、筐体内面にシボ加工を施して光散乱面とすることにより、照明参照光がホログラム記録媒体表面で反射した反射光が前記光散乱面で散乱されて弱まり、ホログラム記録媒体に戻ってきてもこれを感光させることがなくなる。ホログラム記録媒体のモノマーのダイナミックレンジを低下させることはなく、ホログラム記録媒体の記録容量を低下させることを防止することができる。
【００１３】
また、ホログラム記録媒体を収納する筐体内壁に反射板などの反射制御手段を設けることにより、記録時に信号光及び参照光などの光束がホログラム記録媒体表面で反射しても、その反射光は前記反射制御手段により再度ホログラム記録媒体を照射しない方向に反射されてしまうため、ホログラム記録媒体のモノマーのダイナミックレンジを低下させることはなく、ホログラム記録媒体の記録容量を低下させることを防止することができる。また、再生時、照明参照光がホログラム記録媒体表面で反射した反射光が前記反射制御手段によりホログラム記録媒体から発生する再生光に混じらない方向に反射されるため、再生データのＳ／Ｎを向上させることができる。
【００１４】
また、本発明は、参照光と信号光の干渉縞をカートリッジ収納型ホログラム記録媒体に記録し、照明参照光をカートリッジ収納型ホログラム記録媒体に照射して記録データを再生するホログラム記録再生装置であって、前記ホログラム記録再生装置の筐体内壁面の一部又は全部に光吸収手段を設けることを特徴とする。
【００１５】
また、本発明は、参照光と信号光の干渉縞をカートリッジ収納型ホログラム記録媒体に記録し、照明参照光をカートリッジ収納型ホログラム記録媒体に照射して記録データを再生するホログラム記録再生装置であって、前記ホログラム記録再生装置の筐体内壁面の一部又は全部に接触又は近接して反射制御手段を配置したことを特徴とする。
【００１６】
また、本発明は、参照光と信号光の干渉縞をカートリッジ収納型ホログラム記録媒体に記録し、照明参照光をカートリッジ収納型ホログラム記録媒体に照射して記録データを再生するホログラム記録再生装置であって、前記ホログラム記録再生装置の筐体内壁面の一部又は全部を加工して光を散乱する光散乱面とすることを特徴とする。
【００１７】
このように本発明では、ホログラム記録再生装置の筐体内壁面に光吸収手段が設けられていたり或いは、反射制御手段が設けられているため、記録時にカートリッジ収納型ホログラム記録媒体の筐体からホログラム記録媒体が外部に露出しても、筐体内の反射光などの不要光は光吸収手段に吸収されたり或いは、反射制御手段によりホログラム記録媒体の前記露出部を照射しない方向に反射されてしまうため、ホログラム記録媒体のモノマーのダイナミックレンジを低下させることはなく、ホログラム記録媒体の記録容量の低下を防止することができる。
【発明の効果】
【００１８】
本発明によれば、カートリッジ収納型ホログラム記録媒体の筐体内壁面に光吸収手段を設けたり或いは、反射制御手段を設けることにより、記録時、筐体内の反射光などの不要光は光吸収手段に吸収されたり或いは、反射制御手段によりホログラム記録媒体を照射しない方向に反射されてしまうため、ホログラム記録媒体のモノマーのダイナミックレンジを低下させることはなく、ホログラム記録媒体の記録容量の低下を防止することができる。
【００１９】
カートリッジ収納型ホログラム記録媒体の筐体内壁面に光吸収手段を設けたり或いは、反射制御手段を設けることにより、再生時、筐体内の反射光などの不要光は光吸収手段に吸収されたり或いは、反射制御手段により再生光に混じらない方向に反射されてしまうため、再生データのＳ／Ｎを向上させることができる。
【００２０】
カートリッジ収納型ホログラム記録装置の筐体内に光吸収手段を設けたり或いは、反射制御手段を設けることにより、記録時にカートリッジ収納型ホログラム記録媒体の筐体からホログラム記録媒体が外部に露出しても、筐体内の反射光などの不要光は光吸収手段に吸収されたり或いは、反射制御手段によりホログラム記録媒体の前記露出部を照射しない方向に反射されてしまうため、ホログラム記録媒体のモノマーのダイナミックレンジを低下させることはなく、ホログラム記録媒体の記録容量の低下を防止することができる。
【発明を実施するための最良の形態】
【００２１】
カートリッジ収納型ホログラム記録媒体の筐体内部での反射光などの不要光によりホログラム記録媒体の記録容量を低下させたり或いは、再生データのＳ／Ｎの劣化を防止する目的を、カートリッジ収納型ホログラム記録媒体の筐体内壁面に光吸収手段を設けたり或いは、反射制御手段を設けることによって実現した。
【実施例１】
【００２２】
図１は、本発明の第１の実施の形態に係るカートリッジ収納型ホログラム記録媒体の構成を示した断面図である。但し、従来例と同一部分には同一符号を付して説明する。カートリッジ収納型ホログラム記録媒体６０は、四角形状の筐体１の内部に、ホログラム記録媒体（フォトポリマー等）２が回転自在に収納されて構成され、筐体１の内壁面は黒色に塗装されている。１１はその塗装膜である。
【００２３】
記録時、カートリッジ収納型ホログラム記録媒体６０の入射孔１１３から信号光１００と参照光２００が筐体１内部に入射され、信号光１００と参照光２００はホログラム記録媒体２の記録領域を照射し、両光の干渉縞がホログラム記録媒体２に記録される。その際に、信号光１００と参照光２００の一部はホログラム記録媒体２の表面で反射し、その反射光２０１が筐体１の内壁側に進行するが、黒色の塗装膜１１により吸収され、反射光が２０１がホログラム記録媒体２側に戻ることを防止している。
【００２４】
また、再生時、カートリッジ収納型ホログラム記録媒体６０の入射孔１１３から参照光（照明参照光）２００が筐体１内部に入射され、参照光２００が記録されている干渉縞に当たって再生光（回折光）３００が発生し、この再生光が出射孔１１４からカートリッジ外に出射する。その際、参照光２００の一部はホログラム記録媒体２の表面で反射し、その反射光は筐体１の内壁の塗装膜１１により吸収されてしまい、出射孔１１４から再生光３００に混じって共に外部に出射しないようになる。
【００２５】
本実施の形態によれば、カートリッジ収納型ホログラム記録媒体６０の内壁を黒色で塗装することにより、信号光１００や参照光２００のホログラム記録媒体２からの反射光を、前記黒色塗装で吸収して、ホログラム記録媒体２を照射しないようにすることができるため、反射光などの不要光によるホログラム記録媒体２の無用な感光を防止することができ、モノマーのダイナミックレンジを低下させることがなく、仕様どおりの記憶容量を得ることができる。
【００２６】
尚、塗装膜１１の平滑性を落とせば、そこで光を散乱でき、塗装膜１１で反射される２次反射光の強度を落とすことができ、不要光によるホログラム記録媒体２の無用な感光を更に一層防止することができる。
【００２７】
また、上記実施の形態では、筐体１の内壁を黒色で塗装したが、反射光２０１の波長を選択的に吸収する塗装色であっても良く必ずしも黒色である必要がないと共に、筐体１の内壁面全部を塗装する必要はなく、反射光が進行してくる内壁面だけを塗装しても良い。
【実施例２】
【００２８】
図２は、本発明の第２の実施の形態に係るカートリッジ収納型ホログラム記録媒体の構成を示した断面図である。但し、第１の実施の形態と同様の部分には同一符号を付して説明する。カートリッジ収納型ホログラム記録媒体６１は、四角形状の筐体１の内部に、ホログラム記録媒体２が回転自在に収納されて構成され、筐体１の内壁面には反射防止用の植毛紙１２が貼り付けてある。
【００２９】
本実施の形態によれば、植毛紙１２によりホログラム記録媒体２からの反射光が吸収されるため、筐体１内部の不要光がなくなり、第１の実施の形態と同様の効果がある。尚、植毛紙１２は少なくとも、ホログラム記録媒体２からの反射光と同じ波長の光を吸収するものであれば良く、また、筐体１の内壁面全部に貼る必要はなく、必要な部分に貼って同様の効果がある。
【実施例３】
【００３０】
図３は、本発明の第３の実施の形態に係るカートリッジ収納型ホログラム記録媒体の構成を示した断面図である。但し、第１の実施の形態と同様の部分には同一符号を付して説明する。カートリッジ収納型ホログラム記録媒体６２は、四角形状の筐体１の内部に、ホログラム記録媒体２が回転自在に収納されて構成され、筐体１の内壁面には光吸収特性を有する細長い針状材１３が多数密集して植設されている。
【００３１】
本実施の形態によれば、ホログラム記録媒体２の表面での参照光（又は信号光）２００の反射光２０１は密集して植設されている針状材１３に入射すると、針状材１３により反射を繰り返して減衰し、結果として、密集した針状材１３により吸収されてしまい、第１の実施の形態と同様の効果がある。尚、針状材１３を密集して植設する範囲は筐体１の内壁面全部である必要はなく、必要な部分に植設しても同様の効果がある。また、密集した針状材１３の吸収波長は少なくとも反射光２０１の波長を含むものであれば良い。
【実施例４】
【００３２】
図４は、本発明の第４の実施の形態に係るカートリッジ収納型ホログラム記録媒体の構成を示した断面図である。但し、第１の実施の形態と同様の部分には同一符号を付して説明する。カートリッジ収納型ホログラム記録媒体６３は、四角形状の筐体１の内部に、ホログラム記録媒体２が回転自在に収納されて構成され、筐体１の内側には反射方向制御板１４が取り付けてある。
【００３３】
本実施の形態によれば、ホログラム記録媒体２の表面で発生する参照光（又は信号光）の反射光２５０は反射方向制御板１４に当たって反射するが、反射方向制御板１４は反射光２５０が再度ホログラム記録媒体２に入射しないようにすると共に、図示されない再生光の出射孔から外部に出ないような位置及び角度で配置されている。また、反射光２５０の角度によって反射方向制御板１４と筐体１の内壁面との間で何度も反射を繰り返すことがあり、このような場合のために反射方向制御板１４は黒などで塗装して反射光が減衰されるようになっている。このような反射方向制御板１４の作用により反射光２５０が減衰するか或いは、再度ホログラム記録媒体２に入射しないようになるため、ホログラム記録媒体２が無用に感光することがなくなると共に、再生光に不要光が混じることがなくなり、第１の実施の形態と同様の効果がある。
【実施例５】
【００３４】
図５は、本発明の第５の実施の形態に係るカートリッジ収納型ホログラム記録媒体の構成を示した断面図である。但し、第１の実施の形態と同様の部分には同一符号を付して説明する。カートリッジ収納型ホログラム記録媒体６５は、四角形状の金属の筐体１の内部に、ホログラム記録媒体２が回転自在に収納されて構成され、筐体１の内壁面にはシボ加工が施されている。シボ加工は金属の表面に模様を付ける金属微細加工法のひとつで、主に薬品によって金属を溶解するため化学腐食（エッチング）とも言う。
【００３５】
本実施の形態によれば、シボ加工面１５は図６に示すように凸凹のため、このシボ加工面１５に当たった光は散乱されてその強度が著しく弱まる。したがって、ホログラム記録媒体２からの反射光がシボ加工を施した筐体１の内壁面で散乱されるため、ホログラム記録媒体２にはそれを感光させるだけの強度の光が戻ってこず、第１の実施の形態と同様の効果がある。また、上記実施形態では、筐体１の内壁面全体にシボ加工を施したが、ホログラム記録媒体２からの反射光が当たる部分のみ等、内壁面の一部のみにシボ加工を施しても良い。尚、筐体１の内壁面は光を散乱させる性質を持つように加工すれば良く、シボ加工以外にも例えば梨地加工を施しても同様の効果がある。梨地加工を施す場合、筐体１は金属である必要はない。
【実施例６】
【００３６】
図７は、本発明の第６の実施の形態に係るホログラム記録再生装置の構成を示した断面図である。但し、第１の実施の形態と同様の部分には同一符号を付して説明する。ホログラム記録再生装置は、筐体５の中にカートリッジ収納型ホログラム記録媒体６４が着脱自在に装着されて、このカートリッジ収納型ホログラム記録媒体６４に対してデータの記録再生を行う。その際に、カートリッジ収納型ホログラム記録媒体６４の筐体１内に収納されているホログラム記録媒体２の一部が筐体１の外部に露出する方式であるが、ホログラム記録再生装置の筐体５の内壁が黒く塗られており、その塗装膜５５によりホログラム記録媒体２から反射された不要光などが吸収され、不要光が筐体５の内壁で反射されてホログラム記録媒体２側に折り返されないようになっている。
【００３７】
本実施の形態によれば、記録再生時に、カートリッジ収納型ホログラム記録媒体６４に収納されているホログラム記録媒体２の一部が筐体１の外に露出する方式でも、不要光が露出したホログラム記録媒体２に照射されないため、ホログラム記録媒体２が不要光により感光されず、モノマーのダイナミックレンジを低下させることはなく、仕様どおりの記録容量を得ることができる。
【００３８】
尚、ホログラム記録再生装置の筐体５の内壁には黒塗装をしたが、植毛紙、針状材等の光吸収体や反射方向制御板などの反射体を施してもよいし、シボ加工を施して光散乱面としてもよい、光吸収体を用いた場合、塗装も含めて少なくとも反射光の波長を選択的に吸収するものであれば良い。
【００３９】
また、本発明は上記実施の形態に限定されることなく、その要旨を逸脱しない範囲において、具体的な構成、機能、作用、効果において、他の種々の形態によっても実施することができる。例えば、第３、第４の実施形態は、ホログラム記録再生装置にセットして記録または再生する際に、ホログラム記録媒体２の一部がカードリッジ型ホログラム記録媒体の筐体１から露出する方式（オープン型）のものであるが、第１の実施形態で示した密閉型のものにも同様に本発明を適用して同様の効果を得ることができる。また、第１、第２、第５の実施形態は密閉型のカードリッジ型ホログラム記録媒体であるが、オープン型のカードリッジ型ホログラム記録媒体に本発明を適用しても同様の効果がある。さらに、第５の実施形態では、筐体１の内壁面に直接シボ加工を施したが、シボ加工を施した金属板を筐体１の内壁面に張り付けるようにしても同様の効果がある。また、カートリッジ型ホログラム記録媒体の筐体の内壁面に使用レーザ波長の補色の塗料を塗ることにより、ホログラム記録媒体から反射した光を吸収するようにして低減させ、第１の実施形態と同様の効果を得ることができる。また、この補色はメディア感度のある波長の補色でも良い。さらに、補色を用いた半透明のカートリッジを用いることによっても、メディアに感度がある光を遮光できるため、不透明な従来の材質で作ったカートリッジと同様に近い遮光特性を得ることができる。
【図面の簡単な説明】
【００４０】
【図１】本発明の第１の実施の形態に係るカートリッジ収納型ホログラム記録媒体の構成を示した断面図である。
【図２】本発明の第２の実施の形態に係るカートリッジ収納型ホログラム記録媒体の構成を示した断面図である。
【図３】本発明の第３の実施の形態に係るカートリッジ収納型ホログラム記録媒体の構成を示した断面図である。
【図４】本発明の第４の実施の形態に係るカートリッジ収納型ホログラム記録媒体の構成を示した断面図である。
【図５】本発明の第５の実施の形態に係るカートリッジ収納型ホログラム記録媒体の構成を示した断面図である。
【図６】図５に示したシボ加工面の拡大概略図を示した図である。
【図７】本発明の第６の実施の形態に係るホログラム記録再生装置の構成を示した断面図である。
【図８】従来のホログラム記録再生装置の構成例を示した概略図である。
【図９】従来のカートリッジ収納型ホログラム記録媒体の問題点を説明する斜視図である。
【符号の説明】
【００４１】
１、５……筐体、２……ホログラム記録媒体、１１、５５……塗装膜、１２……植毛紙、１３……針状材、１４……反射方向制御板、１５……シボ加工面、６０、６１、６２、６３、６４、６５……カートリッジ収納型ホログラム記録媒体、１１３……入射孔、１１４……出射孔。
【図１】
2005332560.tif 000003
【図２】
2005332560.tif 000004
【図３】
2005332560.tif 000005
【図４】
2005332560.tif 000006
【図５】
2005332560.tif 000007
【図６】
2005332560.tif 000008
【図７】
2005332560.tif 000009
【図８】
2005332560.tif 000010
【図９】
2005332560.tif 000011